(57)【要約】【課題】布などがヒータ本体部を覆うようにかぶさった場合に、布などが発火するのを確実に防止する。【解決手段】電気ストーブの上端部に、ヒータ本体１２の上面の全面にわたって天板３０を配置する。天板３０とケーシング２３との間には、天板３０の両端部に対応した位置に配置されたマイクロスイッチ３２、３３を設ける。布などがヒータ本体１２の上方からかぶさり、天板３０が受ける外部からの荷重が所定値以上である場合は、マイクロスイッチ３２、３３の少なくとも一方はオフ状態からオン状態に切り換わる。このとき、布などがヒータ本体１２を上方から覆うようにかぶさったと判断し、シーズヒータへの電力供給を停止する。【選択図】図６
2008111572.tif 000002
【特許請求の範囲】
【請求項１】
発熱体（２１）と、前記発熱体（２１）の熱を前方に反射する反射板（２２）と、前記発熱体（２１）と前記反射板（２２）とが取り付けられるケーシング（２３）とを有するヒータ本体部（１２）と、
前記ヒータ本体部（１２）の外周面において外部からの荷重を検出する荷重検出手段と、
前記発熱体（２１）に対する電力供給を制御する電力制御手段（７２）とを備え、
前記電力制御手段（７２）は、前記荷重検出手段で検出される荷重が所定値以上である場合に、前記発熱体（２１）に対する電力供給を停止することを特徴とする電気ストーブ（１）。
【請求項２】
前記荷重検出手段は、前記ヒータ本体部（１２）の上面において外部からの荷重を検出することを特徴とする請求項１に記載の電気ストーブ（１）。
【請求項３】
前記荷重検出手段は、前記ヒータ本体部（１２）の上面の全面にわたって外部からの荷重を検出可能であることを特徴とする請求項２に記載の電気ストーブ（１）。
【請求項４】
前記荷重検出手段は、
前記ヒータ本体部（１２）の上端部に配置され、外部からの荷重を受ける受力部（３０）と、
前記受力部（３０）と前記ケーシング（２３）との間に配置され、前記受力部（３０）が受ける外部からの荷重が所定値以上になるとオフ状態からオン状態に切り換わるスイッチ（３２；３３）とを含んでいることを特徴とする請求項２に記載の電気ストーブ（１）。
【請求項５】
前記荷重検出手段は、
前記スイッチ（３２、３３）を２つ有しており、前記２つのスイッチ（３２、３３）は前記受力部（３０）の両端部近傍に配置されていることを特徴とする請求項４に記載の電気ストーブ（１）。
【請求項６】
前記ヒータ本体部（１２）の縦横の向きを変更する回転機構（１４）をさらに備えており、
前記荷重検出手段は、縦向きに変更された前記ヒータ本体部（１２）の上面において外部からの荷重を検出し且つ横向きの変更された前記ヒータ本体部（１２）の上面において外部からの荷重を検出することを特徴とする請求項１に記載の電気ストーブ（１）。
【請求項７】
前記荷重検出手段は、縦向きに変更された前記ヒータ本体部（１２）の上面の全面にわたって外部からの荷重を検出可能であり且つ横向きの変更された前記ヒータ本体部（１２）の上面の全面にわたって外部からの荷重を検出可能であることを特徴とする請求項６に記載の電気ストーブ（１）。
【請求項８】
前記荷重検出手段は、
縦向きに変更された前記ヒータ本体部（１２）の上端部に配置され、外部からの荷重を受ける第１受力部（３０）と、
横向きに変更された前記ヒータ本体部（１２）の上端部に配置され、外部からの荷重を受ける第２受力部（３１）と、
前記第１受力部（３０）と前記ケーシング（２３）との間に配置され、前記第１受力部（３０）が受ける外部からの荷重が所定値以上になるとオフ状態からオン状態に切り換わる第１スイッチ（３２；３３）と、
前記第２受力部（３１）と前記ケーシング（２３）との間の配置され、前記第２受力部（３１）が受ける外部からの荷重が所定値以上になるとオフ状態からオン状態に切り換わる第２スイッチ（３４；３５）とを含んでいることを特徴とする請求項６に記載の電気ストーブ（１）。
【請求項９】
前記荷重検出手段は、
前記第１スイッチ（３２、３３）を２つ有しており、前記２つの第１スイッチ（３２、３３）は前記第１受力部（３０）の両端部近傍に配置されていると共に、
前記第２スイッチ（３４、３５）を２つ有しており、前記２つの第２スイッチ（３４、３５）は前記第２受力部（３１）の両端部近傍に配置されていることを特徴とする請求項８に記載の電気ストーブ（１）。
【請求項１０】
前記電力制御手段（７２）は、前記発熱体（２１）に対する電力供給を停止した後で、前記荷重検出手段で検出される荷重が所定値未満になった場合に、前記発熱体（２１）に対する電力供給を開始することを特徴とする請求項１〜９のいずれか１項に記載の電気ストーブ（１）。
【発明の詳細な説明】
【技術分野】
【０００１】
本発明は、発熱体を有するヒータ本体部を備えた電気ストーブに関するものである。
【背景技術】
【０００２】
従来から、家庭、店舗やオフィスにおいて暖房を行うために、シーズヒータや石英管ヒータ等の発熱体を備えた床置きタイプの電気ストーブが用いられている。特許文献１には、シーズヒータを有するヒータ本体を備えた電気ストーブが記載されている。この電気ストーブでは、温度ヒューズがヒータ本体内部の上端部付近に配置されており、布などがヒータ本体を覆うようにかぶさり、その周辺温度が所定の温度まで上昇した場合には、シーズヒータへの電力供給を遮断することで、布などが発火するのを防止することができる。
【特許文献１】特開２００６−３８２３８号公報
【発明の開示】
【発明が解決しようとする課題】
【０００３】
電気ストーブには出力調整機能を備えたものあり、利用者は例えば１０段階の出力レベルの中の１つの出力レベルを設定することで、シーズヒータの出力を調整することができる。このような出力調整機能を備えた電気ストーブにおいては、利用者により設定された出力レベルが異なると、布などがヒータ本体を覆うようにかぶさった場合に、温度ヒューズが作動するまでの時間が同じにならないことが考えられる。
【０００４】
そこで、本発明の主な目的は、布などがヒータ本体部を覆うようにかぶさった場合に、布などが発火するのを確実に防止することができる電気ストーブを提供することである。
【課題を解決するための手段】
【０００５】
第１の発明に係る電気ストーブは、発熱体と、前記発熱体の熱を前方に反射する反射板と、前記発熱体と前記反射板とが取り付けられるケーシングとを有するヒータ本体部と、前記ヒータ本体部の外周面において外部からの荷重を検出する荷重検出手段と、前記発熱体に対する電力供給を制御する電力制御手段とを備え、前記電力制御手段は、前記荷重検出手段で検出される荷重が所定値以上である場合に、前記発熱体に対する電力供給を停止することを特徴としている。
【０００６】
この電気ストーブでは、ヒータ本体部の外周面において外部から作用する荷重を検出することで、布などがヒータ本体部を覆うようにかぶさったことを直接的に検知し、発熱体に対する電力供給を停止することができる。従って、布などがヒータ本体部を覆うようにかぶさった場合に、布などが発火するのを確実に防止することができるので、電気ストーブの安全性が向上する。
【０００７】
第２の発明に係る電気ストーブは、第１の発明に係る電気ストーブであって、前記荷重検出手段は、前記ヒータ本体部の上面において外部からの荷重を検出する。
【０００８】
この電気ストーブでは、布などがヒータ本体部を上方から覆うようにかぶさったことを確実に検知することができる。
【０００９】
第３の発明に係る電気ストーブは、第２の発明に係る電気ストーブであって、前記荷重検出手段は、前記ヒータ本体部の上面の全面にわたって外部からの荷重を検出可能である。
【００１０】
この電気ストーブでは、ヒータ本体部の上面の広い範囲において外部からの荷重を検出できるので、布などがヒータ本体部を上方から覆うようにかぶさったことをより確実に検知することができる。
【００１１】
第４の発明に係る電気ストーブは、第２の発明に係る電気ストーブであって、前記荷重検出手段は、前記ヒータ本体部の上端部に配置され、外部からの荷重を受ける受力部と、前記受力部と前記ケーシングとの間に配置され、前記受力部が受ける外部からの荷重が所定値以上になるとオフ状態からオン状態に切り換わるスイッチとを含んでいる。
【００１２】
この電気ストーブでは、布などがヒータ本体部を上方から覆うようにかぶさったことを検知するための構成を簡略化できる。
【００１３】
第５の発明に係る電気ストーブは、第４の発明に係る電気ストーブであって、前記荷重検出手段は、前記スイッチを２つ有しており、前記２つのスイッチは前記受力部の両端部近傍に配置されている。
【００１４】
この電気ストーブでは、極力少ないスイッチにより受力部が受ける外部からの荷重を確実に検出することができる。
【００１５】
第６の発明に係る電気ストーブは、第１の発明に係る電気ストーブであって、前記ヒータ本体部の縦横の向きを変更する回転機構をさらに備えており、前記荷重検出手段は、縦向きに変更された前記ヒータ本体部の上面において外部からの荷重を検出し且つ横向きの変更された前記ヒータ本体部の上面において外部からの荷重を検出する。
【００１６】
この電気ストーブでは、ヒータ本体部が縦向きである場合でも横向きである場合でも、布などがヒータ本体部を覆うようにかぶさったことを確実に検知することができる。
【００１７】
第７の発明に係る電気ストーブは、第６の発明に係る電気ストーブであって、前記荷重検出手段は、縦向きに変更された前記ヒータ本体部の上面の全面にわたって外部からの荷重を検出可能であり且つ横向きの変更された前記ヒータ本体部の上面の全面にわたって外部からの荷重を検出可能である。
【００１８】
この電気ストーブでは、ヒータ本体部の上面の広い範囲において外部からの荷重を検出できるので、布などがヒータ本体部を上方から覆うようにかぶさったことをより確実に検知することができる。
【００１９】
第８の発明に係る電気ストーブは、第６の発明に係る電気ストーブであって、前記荷重検出手段は、縦向きに変更された前記ヒータ本体部の上端部に配置され、外部からの荷重を受ける第１受力部と、横向きに変更された前記ヒータ本体部の上端部に配置され、外部からの荷重を受ける第２受力部と、前記第１受力部と前記ケーシングとの間に配置され、前記第１受力部が受ける外部からの荷重が所定値以上になるとオフ状態からオン状態に切り換わる第１スイッチと、前記第２受力部と前記ケーシングとの間の配置され、前記第２受力部が受ける外部からの荷重が所定値以上になるとオフ状態からオン状態に切り換わる第２スイッチとを含んでいる。
【００２０】
この電気ストーブでは、布などがヒータ本体部を上方から覆うようにかぶさったことを検知するための構成を簡略化できる。
【００２１】
第９の発明に係る電気ストーブは、第８の発明に係る電気ストーブであって、前記荷重検出手段は、前記第１スイッチを２つ有しており、前記２つの第１スイッチは前記第１受力部の両端部近傍に配置されていると共に、前記第２スイッチを２つ有しており、前記２つの第２スイッチは前記第２受力部の両端部近傍に配置されている。
【００２２】
この電気ストーブでは、極力少ないスイッチにより第１受力部又は第２受力部が受ける外部からの荷重を確実に検出することができる。
【００２３】
第１０の発明に係る電気ストーブは、第１〜第９のいずれかの発明に係る電気ストーブであって、前記電力制御手段は、前記発熱体に対する電力供給を停止した後で、前記荷重検出手段で検出される荷重が所定値未満になった場合に、前記発熱体に対する電力供給を開始する。
【００２４】
この電気ストーブでは、ヒータ本体部を覆うようにかぶさった布などが取り除かれた場合に、暖房を自動的に再開することができる。
【発明の効果】
【００２５】
以上の説明に述べたように、本発明によれば、以下の効果が得られる。
【００２６】
第１の発明では、ヒータ本体部の外周面において外部から作用する荷重を検出することで、布などがヒータ本体部を覆うようにかぶさったことを直接的に検知し、発熱体に対する電力供給を停止することができる。従って、布などがヒータ本体部を覆うようにかぶさった場合に、布などが発火するのを確実に防止することができるので、電気ストーブの安全性が向上する。
【００２７】
第２の発明では、布などがヒータ本体部を上方から覆うようにかぶさったことを確実に検知することができる。
【００２８】
第３の発明では、ヒータ本体部の上面の広い範囲において外部からの荷重を検出できるので、布などがヒータ本体部を上方から覆うようにかぶさったことをより確実に検知することができる。
【００２９】
第４の発明では、布などがヒータ本体部を上方から覆うようにかぶさったことを検知するための構成を簡略化できる。
【００３０】
第５の発明では、極力少ないスイッチにより受力部が受ける外部からの荷重を確実に検出することができる。
【００３１】
第６の発明では、ヒータ本体部が縦向きである場合でも横向きである場合でも、布などがヒータ本体部を上方から覆うようにかぶさったことを確実に検知することができる。
【００３２】
第７の発明では、ヒータ本体部の上面の広い範囲において外部からの荷重を検出できるので、布などがヒータ本体部を上方から覆うようにかぶさったことをより確実に検知することができる。
【００３３】
第８の発明では、布などがヒータ本体部を上方から覆うようにかぶさったことを検知するための構成を簡略化できる。
【００３４】
第９の発明では、極力少ないスイッチにより第１受力部又は第２受力部が受ける外部からの荷重を確実に検出することができる。
【００３５】
第１０の発明では、ヒータ本体部を覆うようにかぶさった布などが取り除かれた場合に、暖房を自動的に再開することができる。
【発明を実施するための最良の形態】
【００３６】
以下、本発明に係る電気ストーブの実施形態について、図面を参照しつつ説明する。図１〜図５は、本発明の実施の形態に係る電気ストーブを正面側から見た斜視図、後面側から見た斜視図、側面図、正面図及び平面図である。図６（ａ）及び図６（ｂ）は、ヒータ本体の上端部近傍、右側面近傍の拡大図である。図７は、操作部を示す図である。図８及び図９は、ヒータ本体部の内部の構成を示す側断面図、正面断面図である。図１０は、制御部の構成を示すブロック図である。
【００３７】
〔電気ストーブ全体の構成〕
電気ストーブ１は、スタンド基台１１と、ヒータ本体１２と、本体支柱１３と、ヒータ角度変更機構１４と、ヒータ首振り機構１５と、把手１６とを備えている。
【００３８】
スタンド基台１１は、床面Ｇに設置されている。そして、スタンド基台１１の上側には、その内部空間にヒータ首振り機構１５が内蔵された四角柱形状の膨出部１７が形成されている。本体支柱１３は、スタンド基台１１（具体的には、膨出部１７）から上方に突出するように設けられた細長い角筒形状の部材である。
【００３９】
ヒータ本体１２は、前面に略長方形状の開口を有する略直方体形状のケーシング２３と、ケーシング２３の前面に設けられた防護桟２４と、ケーシング２３内に配置された発熱体としてのシーズヒータ２１と、シーズヒータ２１の後方及び側方に配置されシーズヒータ２１の熱を前方に反射する反射板２２とを有している。そして、本体支柱１３は、ヒータ本体１２の後方に配置されている。
【００４０】
ヒータ本体１２の上面（具体的には、ケーシング２３の上端部）には、天板３０が配置されている。天板３０は、ヒータ本体１２の上面の全面にわたって配置されている。また２つのマイクロスイッチ３２、３３が、図６（ａ）に示すように、天板３０とケーシング２３との間において、天板３０の幅方向中央であり且つ長手方向両端部に対応した位置に配置されている。
【００４１】
そして、天板３０には操作部４０が設けられている。操作部４０は、図７に示すように、シーズヒータ２１の出力を調整するための出力調整部４１等を有している。本実施の形態では、出力調整部４１では、１０段階の出力レベルの中からいずれかの出力レベルを設定可能になっている。従って、電気ストーブ１では、出力調整部４１で設定された出力レベルに基づいてシーズヒータ２１に供給される電力が制御される。
【００４２】
ヒータ本体１２の右側面には、側板３１が配置されている。側板３１は、ヒータ本体１２の右側面の全面にわたって配置されている。ここで、側板３１が配置されたヒータ本体１２の右側面は、ヒータ本体１２が横向きである場合にヒータ本体１２の上面となる面である。また、２つのマイクロスイッチ３４、３５が、図６（ｂ）に示すように、側板３１とケーシング２３との間において、側板３１の幅方向中央であり且つ長手方向両端部に対応した位置に配置されている。
【００４３】
マイクロスイッチ３２、３３は、天板３０が受ける外部からの荷重を検出するためのものであり、マイクロスイッチ３４、３５は、側板３１が受ける外部からの荷重を検出するためのものである。マイクロスイッチ３２〜３５は、それぞれ、天板３０又は側板３１が受ける外部からの荷重が所定値未満である場合にオフ状態であり、天板３０又は側板３１が受ける外部からの荷重が所定値以上である場合にオフ状態からオン状態に切り換わり、その後、天板３０又は側板３１が受ける外部からの荷重が所定値未満になった場合にオン状態からオフ状態に切り換わるものである。ここで、本実施の形態では、天板３０又は側板３１が受ける外部からの荷重が所定値以上である場合には、布などがヒータ本体１２の天板３０又は側板３１を上方から覆うようにかぶさっていると判断するので、上記の所定値は布などの重量に基づいて設定するのが好ましい。本実施の形態では、天板３０が受ける外部からの荷重が０．１５ｋｇｆ以上である場合に, マイクロスイッチ３２、３３の少なくとも一方はオフ状態からオン状態に切り換わり、側板３１が受ける外部からの荷重が０．１５ｋｇｆ以上である場合に, マイクロスイッチ３４、３５の少なくとも一方はオフ状態からオン状態に切り換わる。
【００４４】
詳細には、ヒータ本体１２が縦向きである場合（図６（ａ）参照）に、布などがヒータ本体１２の天板３０を上方から覆うようにかぶさると、布などの重量により天板３０の天板３０には下方向の荷重が作用し、天板３０が下方に移動する（天板３０が水平である場合及び天板３０が傾斜する場合を含む）。そして、天板３０が受ける外部からの荷重が所定値未満である場合は、マイクロスイッチ３２、３３はいずれもオフ状態に維持される。一方、天板３０が受ける外部からの荷重が所定値以上である場合は、マイクロスイッチ３２、３３の少なくとも一方はオフ状態からオン状態に切り換わる。このように、マイクロスイッチ３２、３３の少なくとも一方がオフ状態からオン状態に切り換わったことに基づいて、布などがヒータ本体１２を上方から覆うようにかぶさったことを検知することができる。従って、マイクロスイッチ３２、３３は、天板３０が受ける外部からの荷重が所定値以上であることが検出できるように、オフ状態からオン状態に切り換わる荷重がそれぞれ設定されている。また、ヒータ本体１２が横向きである場合には、側板３１がヒータ本体１２の上面になり、同様に考えることができる。
【００４５】
また、ヒータ本体１２の内部には、２つの温度ヒューズ５１、５２が配置されている。温度ヒューズ５１は、図８および図９に示すように、ヒータ本体１２が縦向きである場合（図４に示す実線）のヒータ本体１２の内部の上端部付近に設置されている。温度ヒューズ５１は、その周辺温度が所定の温度まで上昇するとシーズヒータ２１への電力供給を遮断するものであって、その作動温度（耐熱温度）が１１９℃のものが用いられている。
【００４６】
温度ヒューズ５２は、ヒータ本体１２が横向きである場合（図４に示す二点鎖線）のヒータ本体１２の内部の上端部付近であって、反射板２２の裏面側とケーシング２３との間に設置されている。温度ヒューズ５２は、温度ヒューズ５１と同様に、その周辺温度が所定の温度まで上昇するとシーズヒータ２１への電力供給を遮断するものであって、その作動温度が１５４℃のものが用いられている。なお、温度ヒューズ５２の作動温度が温度ヒューズ５１の作動温度と異なっているのは、温度ヒューズ５２の取付位置が反射板２２のすぐ裏側であるために、通常時にも温度ヒューズ５１の取付位置よりも温度が高いことを考慮したものである。
【００４７】
また、温度ヒューズ５１、５２の作動温度は、ヒータ本体１２を覆うように布をかぶせて行われた発火実験の結果に基づいて、発火実験において布が発火する際のヒータ本体１２の内部の温度よりも低い温度になるように設定されている。従って、布などがヒータ本体１２を覆うようにかぶさった場合でも、布などが発火する前に温度ヒューズ５１、５２が作動してシーズヒータ２１への電力供給を遮断するため、火災の発生を事前に予防することができる。さらに、布などがヒータ本体１２を覆うようにかぶさった場合には、ヒータ本体１２の上端部の温度が上昇しやすいことから、温度ヒューズ５１、５２は、ヒータ本体１２が縦向きの場合でも横向きの場合でも、ヒータ本体１２の上端部付近に配置されるようになっている。
【００４８】
ヒータ角度変更機構１４は、ヒータ本体１２と本体支柱１３との間（より具体的には、ヒータ本体１２の長手方向の中央部と本体支柱１３の上部との間）に配置され、ヒータ本体１２の仰角（図３の仰角α及び一点鎖線で図示されたヒータ本体１２参照）及び俯角（図３の俯角β及び二点鎖線で図示されたヒータ本体１２参照）を変更する仰俯角変更機能と、ヒータ本体１２の縦横向き（図４の回転角γ及び２点鎖線で図示されたヒータ本体１２参照）を変更する縦横変更機能とを有している。
【００４９】
ヒータ首振り機構１５は、本体支柱１３とスタンド基台１１との間に配置され、本体支柱１３を所定の首振り角度（図５の首振り角度ε）の範囲内で手動により回動させることによってヒータ本体１２の首振りを行う手動首振り機能と、手動首振り機能によって設定された首振り角度の位置を基準として本体支柱１３を所定の首振り角度（図５の首振り角度δ及び二点鎖線で図示されたヒータ本体１２参照）の範囲内で自動的に反復して回動させることによってヒータ本体１２の首振りを行う自動首振り機能とを有している。
【００５０】
〔電気ストーブの制御部の構成〕
電気ストーブ１の制御部７０は、図１０に示すように、データ記憶部７１と、電力制御部７２とを有している。また、制御部７０には、操作部４０の出力調整部４１と、シーズヒータ２１と、マイクロスイッチ３２〜３５とが接続されている。
【００５１】
データ記憶部７１は、電気ストーブ１の制御に関する種々のデータを記憶する。本実施の形態では、データ記憶部７１は、出力調整部４１で設定可能な１０段階の出力レベルのそれぞれにおいて、シーズヒータ２１に供給される電力値等を記憶している。
【００５２】
電力制御部７２は、シーズヒータ２１に供給される電力を制御する。つまり、電力制御部７２は、通常時には、出力調整部４１で設定された所定の出力レベルに関して、データ記憶部７１に記憶されたデータに基づいて得られる電力値にしたがって、シーズヒータ２１に電力を供給する。また、電力制御部７２は、マイクロスイッチ３２〜３５のいずれかがオフ状態からオン状態に切り換わった場合には、シーズヒータ２１への電力供給を停止する。さらに、電力制御部７２は、シーズヒータ２１への電力供給を停止した後で、マイクロスイッチ３２〜３５の全てがオフ状態になると、シーズヒータ２１への電力供給を開始する。
【００５３】
〔本発明の電気ストーブの特徴〕
本実施の形態の電気ストーブ１には、以下のような特徴がある。
【００５４】
本実施の形態の電気ストーブ１では、ヒータ本体１２の上端部及び側面部に配置されたマイクロスイッチ３２〜３５の状態に基づいて、布などがヒータ本体１２を覆うようにかぶさったことを直接的に検知し、シーズヒータ２１に対する電力供給を停止することができる。従って、布などがヒータ本体１２を覆うようにかぶさった場合に、布などが発火するのを確実に防止することができるので、電気ストーブ１の安全性が向上する。
【００５５】
また、本実施の形態の電気ストーブ１では、ヒータ本体１２が縦向きである場合には、上面となる天板３０が受ける外部からの荷重をマイクロスイッチ３２、３３の状態から検出可能であり、ヒータ本体１２が横向きである場合には、上面となる側板３１が受ける外部からの荷重をマイクロスイッチ３４、３５の状態から検出可能である。従って、ヒータ本体１２が縦向きである場合でも横向きである場合でも、布などがヒータ本体１２を上方から覆うようにかぶさったことを確実に検知することができる。
【００５６】
また、本実施の形態の電気ストーブ１では、ヒータ本体１２が縦向きである場合には、天板３０がヒータ本体１２の上面の全面にわたって外部からの荷重を受けることが可能であり、ヒータ本体１２が横向きである場合には、側板３１がヒータ本体１２の上面の全面にわたって外部からの荷重を受けることが可能である。従って、ヒータ本体１２が縦向きである場合でも横向きである場合でも、ヒータ本体１２の上面の広い範囲において外部からの荷重を検出できるので、布などがヒータ本体１２を上方から覆うようにかぶさったことをより確実に検知することができる。
【００５７】
また、本実施の形態の電気ストーブ１では、天板３０又は側板３１が受ける外部からの荷重をマイクロスイッチ３２〜３５の状態に基づいて検出するので、布などがヒータ本体を覆うようにかぶさったことを検知するための構成を簡略化できる。また、マイクロスイッチ３２、３３は天板３０の両端部に配置されており、マイクロスイッチ３４、３５は側板３１の両端部に配置されているので、極力少ないマイクロスイッチにより天板３０又は側板３１が受ける外部からの荷重を確実に検出することができる。
【００５８】
また、本実施の形態の電気ストーブ１では、布などがヒータ本体１２を覆うようにかぶさったことを検知し、シーズヒータ２１への電力供給を停止した後で、マイクロスイッチ３２〜３５の全てがオフ状態になると、シーズヒータ２１への電力供給が開始される。従って、ヒータ本体１２を覆うようにかぶさった布などが取り除かれた場合に、暖房を自動的に再開することができる。
【００５９】
〔他の実施の形態〕
以上、本発明の実施の形態について図面に基づいて説明したが、具体的な構成は、これらの実施の形態に限られるものではなく、発明の要旨を逸脱しない範囲で変更可能である。
【００６０】
本発明では、ヒータ本体１２に配置されたマイクロスイッチ３２〜３５の状態に基づいて、布などがヒータ本体１２を覆うようにかぶさったことを検知する場合に限定されず、その他の方法によって、ヒータ本体１２の外周面において外部からの荷重を検出することで、布などがヒータ本体１２を覆うようにかぶさったことを検知してもよい。
【００６１】
また、本発明では、ヒータ本体１２の上面において外部からの荷重を検出する場合に限定されず、布などがヒータ本体１２を覆うようにかぶさったことを検知できれば、ヒータ本体１２の上面以外の部分において外部からの荷重を検出してもよい。また、ヒータ本体１２の上面において外部からの荷重を検出する場合でも、ヒータ本体１２の上面の一部において外部からの荷重を検出してもよい。
【産業上の利用可能性】
【００６２】
本発明を利用すれば、発熱体を有するヒータ本体部を備えた電気ストーブにおいて、布などがヒータ本体部を覆うようにかぶさった場合に、布などが発火するのを確実に防止することができるので、電気ストーブの安全性が向上する。
【図面の簡単な説明】
【００６３】
【図１】本発明の実施の形態に係る電気ストーブを正面側から見た斜視図である。
【図２】図１の電気ストーブを後面側から見た斜視図である。
【図３】図１の電気ストーブの側面図である。
【図４】図１の電気ストーブの正面図である。
【図５】図１の電気ストーブの平面図である。
【図６】図６（ａ）はヒータ本体の上端部近傍の拡大図であり、図６（ｂ）は、ヒータ本体の右側面近傍の拡大図である。
【図７】操作部を示す図である。
【図８】図１の電気ストーブのヒータ本体部の内部の構成を示す側断面図である。
【図９】図１の電気ストーブのヒータ本体部の内部の構成を示す正面断面図である。
【図１０】図１の電気ストーブの制御部の構成を示すブロック図である。
【符号の説明】
【００６４】
１  電気ストーブ
１２  ヒータ本体（ヒータ本体部）
１４  ヒータ角度変更機構（回転機構）
２１  シーズヒータ（発熱体）
２２  反射板
２３  ケーシング
３０  天板（第１受力部；荷重検出手段）
３１  側板（第２受力部；荷重検出手段）
３２、３３  マイクロスイッチ（第１スイッチ；荷重検出手段）
３４、３５  マイクロスイッチ（第２スイッチ；荷重検出手段）
７０  制御部
７１  データ記憶部
７２  電力制御部（電力制御手段）
【図１】
2008111572.tif 000003
【図２】
2008111572.tif 000004
【図３】
2008111572.tif 000005
【図４】
2008111572.tif 000006
【図５】
2008111572.tif 000007
【図６】
2008111572.tif 000008
【図７】
2008111572.tif 000009
【図８】
2008111572.tif 000010
【図９】
2008111572.tif 000011
【図１０】
2008111572.tif 000012